(57)【要約】      （修正有）【課題】本考案は、使用に際し、上方向からの太陽光の直射や上下方向からの照明光の乱反射による見え難さを解消でき、また携帯時においては、コンパクトに畳み込むことができ、しかも、対物レンズを保護することができる折り畳み式オペラグラスを提供する。【解決手段】前面部１と後面部の上部・下部をそれぞれ接続する上面部３・下面部４と、前面部１と後面部の左右をそれぞれ接続する左側面部・右側面部６と、から構成され、上面部３・下面部４は、それぞれ左右幅方向に沿って第２山折線ｒ２・第５山折線ｒ５を有し、左側面部・右側面部６は、それぞれ上下幅方向に沿って谷折線Ｋを有し、前面部１と後面部を近接させるように、上面部３・下面部４、左側面部・右側面部６を折り畳み可能に形成する。【選択図】図１
0003216757.tif 000002
【実用新案登録請求の範囲】
【請求項１】
対物レンズを備えている前面部と、接眼レンズを備えている後面部と、前記前面部と前記後面部の上部・下部をそれぞれ接続する上面部・下面部と、前記前面部と前記後面部の左右をそれぞれ接続する左側面部・右側面部と、から構成される折り畳み式オペラグラスであって、
前記上面部・下面部は、それぞれ左右幅方向に沿って山折線を有し、前記左側面部・右側面部は、それぞれ上下幅方向に沿って谷折線を有し、前記前面部と前記後面部を近接させるように、前記上面部・下面部、前記左側面部・右側面部を折り畳み可能に形成していることを特徴とする折り畳み式オペラグラス。
【請求項２】
前記上面部・下面部は、それぞれ前方に突出している庇部を備えている請求項１に記載の折り畳み式オペラグラス。
【請求項３】
折り畳み時には、前記上面部・下面部を前記山折線に沿ってそれぞれ山折状に折り曲げ、同時に、前記左側面部・右側面部を前記谷折線に沿ってそれぞれ谷折状に折り曲げ、前記左側面部・右側面部を内包した状態で前記前面部と前記後面部を近接させている請求項１又は２に記載の折り畳み式オペラグラス。
【請求項４】
折り畳み時には、前記上面部・下面部のそれぞれの前記庇部が、前記前面部に当接し、前記対物レンズを覆っている請求項２に記載の折り畳み式オペラグラス。
【請求項５】
対物レンズを備えている前面部と、接眼レンズを備えている後面部と、前記前面部と前記後面部の上部・下部をそれぞれ接続する上面部・下面部と、前記前面部と前記後面部の左右をそれぞれ接続する左側面部・右側面部と、前記上面部・下面部のそれぞれ前方に突出している庇部と、から構成される折り畳み式オペラグラスであって、
該折り畳み式オペラグラスを構成する厚紙・プラスチックシートを含むシート体による展開状態は、その長手方向において、前記前面部の対物レンズ取付部位を介して左右幅方向に沿って形成された外側の第１谷折線・内側の第２谷折線と、前記上面部の前方に突出する前記庇部を形成するよう一方の第２谷折線側に並設された第１山折線と、前記第２谷折線と前記第１山折線との間に接着される第１接着部と、前記上面部の左右幅方向に沿って形成された第２山折線と、前記後面部の接眼レンズ取付部位を介して左右幅方向に沿って形成された前記上面部に隣接した第３山折線及び前記下面部に隣接した第４山折線と、前記下面部の左右幅方向に沿って形成された第５山折線と、前記下面部の前方に突出する前記庇部を形成するよう前記第１谷折線より外側の縁端部に接着される第２接着部と、前記左側面部・右側面部を形成するよう前記前面部の左右両側にそれぞれ第６山折線を介して設けられた連結穴を有する前面側突出連結部及び前記後面部の左右両側にそれぞれ第７山折線を介して設けられた連結端を有する後面側突出連結部と、が一体に設けられていることを特徴とする折り畳み式オペラグラス。
【考案の詳細な説明】
【技術分野】
【０００１】
本考案は、スポーツ観戦・自然観賞・観劇等に使用する、厚紙を用いて形成した折り畳み式オペラグラスに関するものである。
【背景技術】
【０００２】
従来より、スポーツ観戦・自然観賞・観劇等において、対物レンズと接眼レンズを備えている、軽量なオペラグラスが使用されている。
【０００３】
このオペラグラスとしては、例えば、特許文献１に示すように、矩形状の箱体の前面における長手方向両側にレンズを備え、箱体の底板の上に固着した基板の溝にコ字部を嵌合し、コ字部の中央に調節片と螺合軸と支持部とからなる調整つまみの前記支持部を密着して前記螺合軸を嵌入し、前記調整片の一部を箱体の上面及び下面より突出してなるオペラグラスが開示されている。
【先行技術文献】
【特許文献】
【０００４】
【特許文献１】実開昭５１−９２１３８号公報
【考案の概要】
【考案が解決しようとする課題】
【０００５】
しかしながら、上記特許文献１のオペラグラスは、剛体としての矩形状の箱体となって形成されているため、１枚のシート状に折り畳むことは不可能である。
【０００６】
また、上記特許文献１のオペラグラスは、箱体の前面にレンズがむき出し状態となって設けられているので、太陽光や照明光がレンズに入射して見にくい状態となり、しかも、携帯時においては、レンズが損傷しやすい等の実用上の問題点があった。
【０００７】
そこで、本考案は如上のような従来存した諸事情に鑑み創出されたもので、１枚のシート体による展開状態から容易に組み立てることができ、使用に際し、太陽光や照明光による見え難さを解消し、また、携帯時においては、コンパクトに畳み込むことができ、しかも、対物レンズを保護することができる、折り畳み式オペラグラスを提供することを目的とする。
【課題を解決するための手段】
【０００８】
本考案に係る請求項１の考案は、対物レンズを備えている前面部と、接眼レンズを備えている後面部と、前記前面部と前記後面部の上部・下部をそれぞれ接続する上面部・下面部と、前記前面部と前記後面部の左右をそれぞれ接続する左側面部・右側面部と、から構成される折り畳み式オペラグラスであって、前記上面部・下面部は、それぞれ左右幅方向に沿って山折線を有し、前記左側面部・右側面部は、それぞれ上下幅方向に沿って谷折線を有し、前記前面部と前記後面部を近接させるように、前記上面部・下面部、前記左側面部・右側面部を折り畳み可能に形成していることで、上述した課題を解決した。
【０００９】
この請求項１に係る折り畳み式オペラグラスによれば、前記前面部と前記後面部を近接させるように、前記上面部・下面部、前記左側面部・右側面部を折り畳み可能に形成しているため、携帯時においてコンパクトに折り畳むことができる。
【００１０】
本考案に係る請求項２の考案は、前記上面部・下面部は、それぞれ前方に突出している庇部を備えていることで、上述した課題を解決した。
【００１１】
この請求項２に係る折り畳み式オペラグラスによれば、前記上面部・下面部は、それぞれ前方に突出している庇部を備えているので、使用に際し、上方向からの太陽光による直射や、上下方向からの照明光の乱反射による見え難さを解消することができる。
【００１２】
本考案に係る請求項３の考案は、折り畳み時には、前記上面部・下面部を前記山折線に沿ってそれぞれ山折状に折り曲げ、同時に、前記左側面部・右側面部を前記谷折線に沿ってそれぞれ谷折状に折り曲げ、前記左側面部・右側面部を内包した状態で前記前面部と前記後面部を近接させていることで、上述した課題を解決した。
【００１３】
この請求項３に係る折り畳み式オペラグラスによれば、前記左側面部・右側面部を内包した状態で前記前面部と前記後面部を近接させて折り畳まれるので、携帯時においては、シート状に折り畳むことができ、携帯に便利なものとなる。
【００１４】
本考案に係る請求項４の考案は、折り畳み時には、前記上面部・下面部のそれぞれの前記庇部が、前記前面部に当接し、前記対物レンズを覆っていることで、上述した課題を解決した。
【００１５】
この請求項４に係る折り畳み式オペラグラスによれば、折り畳み時には、前記上面部・下面部のそれぞれの前記庇部が、前記前面部に当接しているので、上下の庇部によって対物レンズを確実に保護することができる。しかも、前記上面部・下面部の前記山折線に沿っての山折状の折り曲げ力が確実に機能することにより、庇部が前面部から捲れてしまうことはない。
【００１６】
本考案に係る請求項５の考案は、対物レンズを備えている前面部と、接眼レンズを備えている後面部と、前記前面部と前記後面部の上部・下部をそれぞれ接続する上面部・下面部と、前記前面部と前記後面部の左右をそれぞれ接続する左側面部・右側面部と、前記上面部・下面部のそれぞれ前方に突出している庇部と、から構成される折り畳み式オペラグラスであって、
該折り畳み式オペラグラスを構成する厚紙・プラスチックシートを含むシート体による展開状態は、その長手方向において、前記前面部の対物レンズ取付部位を介して左右幅方向に沿って形成された外側の第１谷折線・内側の第２谷折線と、前記上面部の前方に突出する前記庇部を形成するよう一方の第２谷折線側に並設された第１山折線と、前記第２谷折線と前記第１山折線との間に接着される第１接着部と、前記上面部の左右幅方向に沿って形成された第２山折線と、前記後面部の接眼レンズ取付部位を介して左右幅方向に沿って形成された前記上面部に隣接した第３山折線及び前記下面部に隣接した第４山折線と、前記下面部の左右幅方向に沿って形成された第５山折線と、前記下面部の前方に突出する前記庇部を形成するよう前記第１谷折線より外側の縁端部に接着される第２接着部と、前記左側面部・右側面部を形成するよう前記前面部の左右両側にそれぞれ第６山折線を介して設けられた連結穴を有する前面側突出連結部及び前記後面部の左右両側にそれぞれ第７山折線を介して設けられた連結端を有する後面側突出連結部と、が一体に設けられていることで、上述した課題を解決した。
【００１７】
この請求項５に係る折り畳み式オペラグラスによれば、長手方向において、外側の第１谷折線・内側の第２谷折線を谷折し、一方の第２谷折線側に並設された第１山折線を山折りし、第１接着部を前記第２谷折線と前記第１山折線との間に接着し、第２山折線を山折りし、前記上面部に隣接した第３山折線及び前記下面部に隣接した第４山折線とを山折りし、第５山折線を山折りし、第２接着部を前記第１谷折線より外側の縁端部に接着し、さらに、前記前面部の左右両側のそれぞれの第６山折線を山折りし、前記後面部の左右両側それぞれの第７山折線を山折りし、前面側突出連結部の連結穴に、後面側突出連結部の連結端を差し込むことで、１枚のシート体の展開状態から折り畳み式オペラグラスを容易に組み立てることができる。
【考案の効果】
【００１８】
本考案により、１枚のシート体による展開状態から容易に組み立てることができ、使用に際し、上方向からの太陽光の直射や上下方向からの照明光の乱反射による見え難さを解消でき、また携帯時においては、コンパクトに畳み込むことができ、しかも、対物レンズを保護することができる折り畳み式オペラグラスを提供することができる。
【図面の簡単な説明】
【００１９】
【図１】本考案の使用状態の概略を示す、前方側から視た斜視図である。
【図２】同じく使用状態を示す、後方側から視た斜視図である。
【図３】使用状態から折り畳み状態にする手順を示すもので、（ａ）は使用状態を示す斜視図、（ｂ）は上面部・下面部を山折線に沿ってそれぞれ山折状に折り曲げると同時に、左側面部・右側面部を谷折線に沿ってそれぞれ谷折状に折り曲げる状態を示す斜視図、（ｃ）は折り畳んだ状態を示す斜視図である。
【図４】展開状態を示す平面図である。
【考案を実施するための形態】
【００２０】
以下に、図面を参照して、本考案の一実施の形態について説明する。
【００２１】
＜実施の形態＞
本考案に係る折り畳み式オペラグラスＰは、図１及び図２に示すように、対物レンズＲ１を備えている前面部１と、接眼レンズＲ２を備えている後面部２と、前記前面部１と前記後面部２の上部・下部をそれぞれ接続する上面部３・下面部４と、前記前面部１と前記後面部２の左右をそれぞれ接続する左側面部５・右側面部６とから構成され、前記前面部１と前記後面部２を近接させるように、前記上面部３・下面部４、前記左側面部５・右側面部６を折り畳み可能に形成し、さらに、前記上面部３・下面部４は、それぞれ前方に突出している庇部３Ａ，４Ａを備えている。
【００２２】
前記上面部３・下面部４は、それぞれ左右幅方向に沿って第２山折線ｒ２・第５山折線ｒ５を有し、前記左側面部５・右側面部６は、それぞれ上下幅方向に沿って谷折線Ｋを有し、第２山折線ｒ２・第５山折線ｒ５・谷折線Ｋそれぞれは同一線上にある。
【００２３】
また、谷折線Ｋは、前記前面部１の左右両側にそれぞれ第６山折線ｒ６を介して設けられた前面側突出連結部６Ａの連結穴８に、前記後面部２の左右両側にそれぞれ第７山折線ｒ７を介して設けられた後面側突出連結部６Ｂの連結端９を差し込むことで形成される。
【００２４】
さらに、前記上面部３は前方に突出している庇部３Ａを備え、下面部４は前方に突出している庇部４Ａを備えている。上面部３は前方に突出している庇部３Ａは、後述する第２谷折線ｑ２と前記第１山折線ｒ１との間に接着される第１接着部ｓ１によって形成される。また、下面部４は前方に突出している庇部４Ａは、後述する第１谷折線ｑ１より外側の縁端部に接着される第２接着部ｓ１によって形成される。
【００２５】
折り畳み式オペラグラスＰを構成する厚紙・プラスチックシートを含むシート体Ｐ１による展開状態は、図４に示すように、その長手方向において、前記前面部１の対物レンズＲ１取付部位を介して左右幅方向に沿って形成された外側の第１谷折線ｑ１・内側の第２谷折線ｑ２と、前記上面部３の前方に突出する前記庇部３Ａを形成するよう一方の第２谷折線ｑ２側に並設された第１山折線ｒ１と、前記第２谷折線ｑ２と前記第１山折線ｒ１との間に接着される第１接着部ｓ１とを有する。
【００２６】
また、前記上面部３の左右幅方向に沿って形成された第２山折線ｒ２と、前記後面部２の接眼レンズＲ２取付部位を介して左右幅方向に沿って形成された前記上面部３に隣接した第３山折線ｒ３及び前記下面部４に隣接した第４山折線ｒ４と、前記下面部４の左右幅方向に沿って形成された第５山折線ｒ５と、前記下面部４の前方に突出する前記庇部４Ａを形成するよう前記第１谷折線ｑ１より外側の縁端部に接着される第２接着部ｓ２とを有する。
【００２７】
さらに、前記左側面部５・右側面部６を形成するよう前記前面部２の左右両側にそれぞれ第６山折線ｒ６を介して設けられた連結穴８を有する前面側突出連結部６Ａ，５Ａ及び前記後面部２の左右両側にそれぞれ第７山折線ｒ７を介して設けられた連結端９を有する後面側突出連結部６Ｂ，５Ｂと、が一体に設けられている。
【００２８】
以下に、上記構成による折り畳み式オペラグラスの組立・折り畳み方法を、詳細に説明する。
【００２９】
組立に際しては、長手方向において、外側の第１谷折線ｑ１・内側の第２谷折線ｑ２を谷折し、一方の第２谷折線ｑ２側に並設された第１山折線ｒ１を山折りし、第１接着部ｓ１を前記第２谷折線ｑ２と前記第１山折線ｒ１との間に接着する。
【００３０】
次いで、第２山折線ｒ２を山折りし、前記上面部３に隣接した第３山折線ｒ３及び前記下面部４に隣接した第４山折線ｒ４とを山折りし、第５山折線ｒ５を山折りし、第２接着部ｓ２を前記第１谷折線ｑ１より外側の縁端部に接着する。
【００３１】
さらに、前記前面部１の左右両側のそれぞれの第６山折線ｒ６を山折りし、前記後面部２の左右両側それぞれの第７山折線ｒ７を山折りし、前面側突出連結部６Ａ，５Ａの連結穴８に、後面側突出連結部６Ｂ，５Ｂの連結端９を差し込むことで、１枚のシート体の展開状態から折り畳み式オペラグラスが組み立てられる。
【００３２】
使用後の折り畳みに際しては、図３（ａ）に示す使用状態から、図３（ｂ）に示すように、前記上面部３・下面部４を前記第２山折線ｒ２・第５山折線ｒ５に沿ってそれぞれ山折状に折り曲げると同時に、前記左側面部５・右側面部６を前記谷折線Ｋに沿ってそれぞれ谷折状に折り曲げる。
【００３３】
すると、前記左側面部５・右側面部６を内包した状態で前記前面部１と前記後面部２が近接し、最終的に図３（ｃ）に示すように、前記上面部３・下面部４のそれぞれの前記庇部３Ａ，４Ａが、前記前面部１に当接し、前記対物レンズＲ１を覆った状態となる。
【００３４】
以上、説明したように本実施形態では、１枚のシート体Ｐ１による展開状態から容易に組み立てることができ、使用に際し、上方向からの太陽光の直射や上下方向からの照明光の乱反射による見え難さを解消でき、また携帯時においては、コンパクトに畳み込むことができ、しかも対物レンズを保護することができる折り畳み式オペラグラスＰを提供することができる。
【産業上の利用可能性】
【００３５】
本考案は、スポーツ観戦・自然観賞・観劇等に使用する他に、例えば、建設現場や船舶監視等の種々の作業現場において、幅広く利用されるものである。
【符号の説明】
【００３６】
Ｐ…折り畳み式オペラグラス
Ｐ１…シート体
Ｒ１…対物レンズ
Ｒ２…接眼レンズ
Ｋ…谷折線
ｑ１…第１谷折線
ｑ２…第２谷折線
ｒ１…第１山折線
ｒ２…第２山折線
ｒ３…第３山折線
ｒ４…第４山折線
ｒ５…第５山折線
ｒ６…第６山折線
ｒ７…第７山折線
ｓ１…第１接着部
ｓ２…第２接着部
１…前面部
２…後面部
３…上面部
４…下面部
３Ａ…庇部
４Ａ…庇部
５…左側面部
６…右側面部
６Ａ…前面側突出連結部
５Ａ…前面側突出連結部
６Ｂ…後面側突出連結部
５Ｂ…後面側突出連結部
８…連結穴
９…連結端
【図１】
0003216757.tif 000003
【図２】
0003216757.tif 000004
【図３】
0003216757.tif 000005
【図４】
0003216757.tif 000006